(57)【特許請求の範囲】
【請求項１】
戸先側と戸尻側とにそれぞれ上部案内溝に下方から納められて案内される上部被案内部を有すると共に、戸先側と戸尻側とにそれぞれ下部案内溝に上方から納められて案内される下部被案内部を備えた引き戸と、
内外の壁体を有し、この内外の壁体間に前記引き戸を納める戸袋とを備えており、
二箇所の前記上部被案内部はそれぞれ上部案内溝から抜き外し操作可能に構成されており、
戸先側の下部被案内部は、引き戸によって区分される一方空間側にこの引き戸を戸袋から引き出した状態からその戸尻側を中心として戸先側を回動させる操作がなされたときに下部案内溝から抜け出すようになっており、
戸尻側の上部被案内部と下部被案内部は前記操作がなされたときの回動中心となるように構成されており、
戸袋の開放部を構成する内外の壁体の端部のうち、前記一方空間側に面する壁体の端部は引き戸の前記回動を妨げないように他方空間側に面する壁体の端部よりも戸袋の奥側に後退されていると共に、
引き戸の前記回動中心と戸尻との間に位置される箇所は、引き戸における他方空間側に面する面と引き戸の戸尻となる端面との間に形成された両者にいずれも鈍角に交わるテーパー面により、引き戸の前記回動を妨げない形状を持つように構成されていることを特徴とする引き込み戸構造。
【発明の詳細な説明】
【技術分野】
【０００１】
この発明は、建物における出入り口に適用される引き込み戸の構造に関する。
【背景技術】
【０００２】
引き込み戸は、引き戸とその戸袋とから構成される。戸袋内の掃除は引き戸が邪魔になるため行い難い。また、両引き戸と異なり引き戸の取り外しは基本的には予定されていないため、引き戸の案内部（戸枠部）の掃除も行い難い。
【発明の概要】
【発明が解決しようとする課題】
【０００３】
この発明が解決しようとする主たる問題点は、引き込み戸を構成する引き戸を容易に取り外せるようにして、戸袋内の掃除や戸枠部の掃除などを容易に行なえるようにする点にある。
【課題を解決するための手段】
【０００４】
前記課題課題を達成するために、この発明にあっては、引き込み戸構造を、戸先側と戸尻側とにそれぞれ上部案内溝に下方から納められて案内される上部被案内部を有すると共に、戸先側と戸尻側とにそれぞれ下部案内溝に上方から納められて案内される下部被案内部を備えた引き戸と、
内外の壁体を有し、この内外の壁体間に前記引き戸を納める戸袋とを備えており、
二箇所の前記上部被案内部はそれぞれ上部案内溝から抜き外し操作可能に構成されており、
戸先側の下部被案内部は、引き戸によって区分される一方空間側にこの引き戸を戸袋から引き出した状態からその戸尻側を中心として戸先側を回動させる操作がなされたときに下部案内溝から抜け出すようになっており、
戸尻側の上部被案内部と下部被案内部は前記操作がなされたときの回動中心となるように構成されており、
戸袋の開放部を構成する内外の壁体の端部のうち、前記一方空間側に面する壁体の端部は引き戸の前記回動を妨げないように他方空間側に面する壁体の端部よりも戸袋の奥側に後退されていると共に、
引き戸の前記回動中心と戸尻との間に位置される箇所は、引き戸における他方空間側に面する面と引き戸の戸尻となる端面との間に形成された両者にいずれも鈍角に交わるテーパー面により、引き戸の前記回動を妨げない形状を持つように構成されているものとした。
【０００５】
引き戸を戸袋から引き出しきった状態から、引き戸と戸当たりとの間にやや間隔が開けられる位置まで引き戸を後退させると共に、戸先側の上部被案内部を上部案内溝から抜き外す。次いで、戸先側を一方空間側に移動させる向きに引き戸を操作すると、前記一方空間側に面する壁体の端部の後退と、前記引き戸の回動を妨げない形状とにより、引き戸は戸尻側の上部被案内部と下部被案内部を回動支点として下部案内溝から戸先側の下部被案内部を抜け出させながら一方空間側に回動開き出す。次いで、引き戸の戸尻側の上部被案内部を上部案内溝から抜き外した後に、引き戸をやや上方に持ち上げることで戸尻側の下部被案内部を下部案内溝から抜け出させることができ、これにより引き戸の取り外しが完了される。取り外した引き戸は、以上と逆の手順を踏むことで再び容易に取り付けることができる。
【発明の効果】
【０００６】
この発明によれば、引き込み戸を構成する引き戸を容易に取り外して、これを構成する戸袋内の掃除や戸枠部の掃除などを容易に行なうことができる。
【図面の簡単な説明】
【０００７】
【図１】図１は引き込み戸構造の正面構成図である。
【図２】図２は上部被案内部の構成を示した要部正面構成図（ａ図）、及び要部断面構成図（ｂ図、ｃ図）であり、ｂ図は上部案内溝に上部被案内部が納められている様子を、ｃ図はこれを抜き外した様子を、それぞれ示している。
【図３】図３は引き戸の戸先側の下部被案内部の構成を示した要部断面構成図であり、ａ図は下部案内溝にこの下部被案内部が納められている様子を、ｂ図はこれを抜け出させた様子を、それぞれ示している。
【図４】図４は引き戸の戸尻側の下部被案内部の構成を示した要部断面構成図である。
【図５】図５は引き込み戸構造の横断面構成図であり、ｂ図は引き戸を回動させた様子を示している。
【発明を実施するための形態】
【０００８】
以下、図１〜図５に基づいて、この発明の典型的な実施の形態について、説明する。この実施の形態にかかる引き込み戸構造は、建物における出入り口に適用されるものであり、これを構成する引き戸を容易に取り外せるようにして、戸袋内の掃除や戸枠部の掃除などを容易に行なえるようにしたものである。
【０００９】
図中、符号１はかかる構造を構成する引き戸を、符号２は戸袋を、符号５は出入り口５を、符号６は戸当たりを、符号３は上部戸枠部を、符号４は下部戸枠部を、それぞれ示している。
【００１０】
戸袋２は、内外の壁体２０、２０を有し、この内外の壁体２０、２０間に引き戸１を納めるように構成される。上部戸枠部３には引き戸１に対する上部案内溝３０が、下部戸枠部４０には引き戸１に対する下部案内溝４０が、それぞれ設けられている。
【００１１】
引き戸１は、戸先側１０と戸尻側１１とにそれぞれ上部案内溝３０に下方から納められて案内される上部被案内部１２を有すると共に、戸先側１０と戸尻側１１とにそれぞれ下部案内溝４０に上方から納められて案内される下部被案内部１３を備えている。
【００１２】
二箇所の前記上部被案内部１２はそれぞれ上部案内溝３０から抜き外し操作可能に構成されている。図示の例では、かかる上部被案内部１２は、軸状体１２ａとして構成されている。引き戸１には引き戸１の上端において開放された上部被案内部１２の収容孔１４が形成されている。上部被案内部１２はその上端１２ｂをこの収容孔１４から突き出させた位置とこの上端１２ｂを収容孔１４内に引き込ませた位置との間に亘る可動可能に収容孔１４に納められている。図示の例では、上部被案内部１２の側部には符号１２ｃで示す掛合部が形成されていると共に、引き戸１の一面にはこの掛合部１２ｃのガイド溝１５が形成されている。ガイド溝１５は収容孔１４に連通する鉛直部１５ｂとこの鉛直部１５ｂの上端から水平に延びる水平部１５ａとを備えており、掛合部１２ｃが水平部１５ａにあるとき上部被案内部１２はその上端１２ｂ側を収容孔１４から突き出させた位置に保持されるようになっている。（図２（ａ）、（ｂ））そして、この上部被案内部１２の突き出された上端１２ｂ側が上部案内溝３０に入り込んでこれに案内されるようになっている。この状態から、掛合部１２ｃをガイド溝１５の鉛直部１５ｂの上端側に移動させるように操作すると、上部被案内部１２は収容孔１４内で回動して掛合部１２ｃは水平部１５ａを抜け出して鉛直部１５ｂの上端に移動され、この後に鉛直部１５ｂに沿って掛合部１２ｃを下方に押し下げると上部被案内部１２は下方に移動してその上端１２ｂは収容孔１４内に引き込まれ、上部被案内部１２は上部案内溝３０から抜き外されるようになっている。（図２（ｃ））
【００１３】
また、戸先側１０の下部被案内部１３は、引き戸１によって区分される一方空間側Ｓにこの引き戸１を戸袋２から引き出した状態からその戸尻側１１を中心として戸先側１０を回動させる操作がなされたときに下部案内溝４０から抜け出すようになっている。図示の例では、戸先側１０の下部被案内部１３は、引き戸１の移動方向に直交する向きに回転中心軸１３ｂを配するようにして引き戸１に備えられた戸車１３ａとして構成されている。一方、下部案内溝４０は、両溝壁４１、４１を、溝口に近づくに連れて次第に溝幅を大きくするように傾斜させた構成となっている。これにより、引き戸１を前記のように回動操作したときに、戸車１３ａが下部案内溝４０の溝壁４１を乗り越えてこの下部案内溝４０から抜け出し可能となっている。（図３（ａ）から（ｂ））
【００１４】
また、戸尻側１１の上部被案内部１２と下部被案内部１３は前記操作がなされたときの回動中心ｘとなるように構成されている。図示の例では、戸尻側１１の下部被案内部１３は、戸車１３ｃと戸車支持体１３ｄとから構成されている。戸車支持体１３ｄは引き戸１の移動方向に直交する向きに戸車１３ｃの回転中心軸を支持する下部１３ｅと、引き戸１側に取り付けられる上部１３ｆとを備えている。下部１３ｅは上部１３ｆに対し縦軸１３ｇを中心とした回動可能に組み合わされている。この戸車支持体１３ｄの縦軸１３ｇと戸尻側１１の上部被案内部１２とは、仮想の一つの鉛直線ｘ’上に位置されるようになっている。これにより、引き戸１を前記のように回動操作したときに、戸尻側１１の下部被案内部１３を下部案内溝４０に納めた状態で、前記一つの鉛直線ｘ’を回動中心ｘとして、引き戸１は回動されるようになっている。
【００１５】
また、戸袋２の開放部２１を構成する内外の壁体２０、２０の端部２２のうち、前記一方空間側Ｓに面する壁体２０の端部２２は引き戸１の前記回動を妨げないように他方空間側Ｓ’に面する壁体２０の端部２２よりも戸袋２の奥側に後退されている。図示の例では、図５及び図６の下側が前記一方空間側Ｓであり、図５及び図６の上側が前記他方空間側Ｓ’であり、一方空間側Ｓに面する壁体２０の端部２２と戸当たり６との間の距離は引き戸１の幅寸法に略等しく、他方空間側Ｓ’に面する壁体２０の端部２２と戸当たり６との間の距離は引き戸１の幅寸法よりも小さくなるようにしてある。図中符号７で示すのはモールである。
【００１６】
また、図５に示される例では、引き戸１の前記回動中心ｘと戸尻との間に位置される箇所１６が、引き戸１の前記回動を妨げない形状を持つように構成されている。また、図６に示される例では、前記他方空間側Ｓ’に面する壁体２０における戸袋２の開放部２１側に位置される箇所２３が、引き戸１の前記回動を妨げない形状を持つように構成されている。
【００１７】
具体的には、図５に示される例では、引き戸１における他方空間側Ｓ’に面する面１７と、引き戸１の戸尻となる端面１８とは、直接接し合って直角の隅部を形成するようにはなっておらず、両者の間には両者にいずれも鈍角に交わるテーパー面１９が形成されている。そして、図５に示される例では、このテーパー面１９が他方空間側Ｓ’に面する壁体２０の内面に平行をなす位置まで引き戸１を前記のように回動できるようにしてある。（図５（ｂ））
【００１９】
引き戸１を戸袋２から引き出しきった状態から、引き戸１と戸当たり６との間にやや間隔が開けられる位置まで引き戸１を後退させると共に、（図５（ｂ）において想像線で示す位置）戸先側１０の上部被案内部１２を上部案内溝３０から抜き外す。次いで、戸先側１０を一方空間側Ｓに移動させる向きに引き戸１を操作すると、前記一方空間側Ｓに面する壁体２０の端部２２の後退と、前記引き戸１の回動を妨げない形状とにより、引き戸１は戸尻側１１の上部被案内部１２と下部被案内部１３を回動支点として下部案内溝４０から戸先側１０の下部被案内部１３を抜け出させながら一方空間側Ｓに回動開き出す。（図５（ｂ）において実線で示す位置）次いで、引き戸１の戸尻側１１の上部被案内部１２を上部案内溝３０から抜き外した後に、引き戸１をやや上方に持ち上げることで戸尻側１１の下部被案内部１３を下部案内溝４０から抜け出させることができ、これにより引き戸１の取り外しが完了される。取り外した引き戸１は、以上と逆の手順を踏むことで再び容易に取り付けることができる。
【符号の説明】
【００２０】
１  引き戸
１０  戸先側
１１  戸尻側
１２  上部被案内部
１３  下部被案内部
１６  箇所
２  戸袋
２０  壁体
２１  開放部
２２  端部
３０  上部案内溝
４０  下部案内溝
Ｓ  一方空間側
Ｓ’  他方空間側
ｘ  回動中心
【図１】
0005615062.tif 000002
【図２】
0005615062.tif 000003
【図３】
0005615062.tif 000004
【図４】
0005615062.tif 000005
【図５】
0005615062.tif 000006